(57)【要約】【課題】減圧吸収部の面積が小さくとも、熱間充填後の内圧変動や内容液の容積変動等による容器変形に耐えることが可能であり、尚且つ座屈変形が生じ難い樹脂製容器を提供すること。【解決手段】キャップが着脱自在な口部２と、口部２に連設される肩部３と、肩部３に連設される胴部４と、胴部４に連設され最下部に位置する底部５とを備え、胴部４に陥没形成される減圧吸収部９が、横断面において容器外側に凸となる膨らみ領域１１を備え、膨らみ領域１１の高さ方向の長さが２０ｍｍ〜４０ｍｍである。【選択図】図１
2018162095.tif 000002
【特許請求の範囲】
【請求項１】
キャップが着脱自在な口部と、該口部に連設される肩部と、該肩部に連設される胴部と、該胴部に連設され最下部に位置する底部とを備え、
前記胴部に陥没形成される減圧吸収部が、横断面において容器外側に凸となる膨らみ領域を備え、
前記膨らみ領域の高さ方向の長さが２０ｍｍ〜４０ｍｍであることを特徴とする樹脂製容器。
【請求項２】
前記膨らみ領域の横断面形状の曲率半径が４０ｍｍ〜１６０ｍｍであることを特徴とする請求項１に記載の樹脂製容器。
【発明の詳細な説明】
【技術分野】
【０００１】
本発明は、減圧吸収部を備える樹脂製容器に関する。
【背景技術】
【０００２】
従来の樹脂製容器として、例えば、特許文献１に示すように、胴部の上側と下側のそれぞれに減圧吸収部を備えるペットボトルが知られている。減圧吸収部は、ペットボトルの側面から一段低く陥没形成され、熱間充填後の内圧変動や内容液の容積変動等に対応して湾曲変位することにより、ペットボトルの容器変形を防止するものである。
【先行技術文献】
【特許文献】
【０００３】
【特許文献１】特開２００４−２９９７５８号公報
【発明の概要】
【発明が解決しようとする課題】
【０００４】
しかしながら、従来のペットボトルでは、例えばデザイン性を重視するような形状をとる場合、減圧吸収部を設ける領域が狭く限られてしまうことがある。そのため、減圧吸収部の面積が小さくなり、特にその高さ方向の長さが短くなると、減圧吸収性能が低下するという問題が生じる。また従来のペットボトルでは、その上下方向から衝撃や荷重が加えられた際、減圧吸収部における平面状のパネルが容器外側に湾曲変位し、これにより容器の内圧が低下して座屈変形が生じる場合が多い。
【０００５】
従って、本発明の目的は、減圧吸収部の面積が小さくとも、内容液の容積変動等による容器変形に耐えることが可能であり、尚且つ座屈変形が生じ難い樹脂製容器を提供することにある。
【課題を解決するための手段】
【０００６】
本発明の樹脂製容器の特徴構成は、キャップが着脱自在な口部と、該口部に連設される肩部と、該肩部に連設される胴部と、該胴部に連設され最下部に位置する底部とを備え、前記胴部に陥没形成される減圧吸収部が、横断面において容器外側に凸となる膨らみ領域を備え、前記膨らみ領域の高さ方向の長さが２０ｍｍ〜４０ｍｍである点にある。
【０００７】
本発明の樹脂製容器のさらなる特徴構成は、前記膨らみ領域の横断面形状の曲率半径が４０ｍｍ〜１６０ｍｍである点にある。
【発明の効果】
【０００８】
本構成によれば、減圧吸収部の膨らみ領域が容器外側に膨らんでいる分、平面状のパネルを有する従来の減圧吸収部と比べて減圧吸収代が大きくなるため、より高い減圧吸収性能が発揮される。
【０００９】
また、本構成によれば、減圧吸収部の膨らみ領域が容器外側に最初から膨らんでいるため、上下方向から衝撃や荷重が加えられても、膨らみ領域が容器外側に湾曲変位し難い。このため、容器の内圧が低下し難く、座屈変形も生じ難い。
【００１０】
従って本構成によれば、より高い減圧吸収性能と座屈変形強度とを確保することができるため、減圧吸収部の面積をより小さく、特に、膨らみ領域の高さ方向の長さを２０ｍｍ〜４０ｍｍという、従来の減圧吸収部における平面状のパネルの高さ方向の長さよりも短くすることが可能となる。
【００１１】
また特に、膨らみ領域の横断面形状の曲率半径を４０ｍｍ〜１６０ｍｍとした場合、減圧吸収性能と座屈変形強度とがさらに向上する。
【図面の簡単な説明】
【００１２】
【図１】樹脂製容器の側面図である。
【図２】図１の矢視線ＩＩ−ＩＩにおける樹脂製容器の縦断面図である。
【図３】図１の矢視線ＩＩＩ−ＩＩＩにおける樹脂製容器の横断面図である。
【図４】樹脂製容器のその他の実施形態の側面図である。
【発明を実施するための形態】
【００１３】
〔実施形態〕
以下、本発明に係る樹脂製容器の好適な実施の形態として、飲料等の液体が充填されるプラスチックボトル１を図面に基づいて説明する。
【００１４】
まず、本明細書で用いる各種の用語について以下のとおり定義する。
本明細書中において「上下方向」とは、図１のプラスチックボトル１（以下、ボトル１と略称する）の中心軸Ｘ−Ｘの方向を意味する。特に図１、図２及び図４において、上方とは、図面の上端側を指し、下方とは図面の下端側を指す。
「横方向」又は「水平方向」とは、中心軸Ｘ−Ｘ方向に直交する方向を意味する。
「周方向」とは、横断面形状の輪郭に沿う方向を意味する。
「径方向」とは、中心軸Ｘ−Ｘを円の中心として考えた場合におけるその円の半径方向を意味する。
「高さ」とは、中心軸Ｘ−Ｘ方向に沿う長さを意味する。
「深さ」とは、径方向に沿う長さを意味する。
「横断面形状」とは、中心軸Ｘ−Ｘに直交する平面（横断面）におけるボトル１の断面形状を意味する。
「縦断面形状」とは、中心軸Ｘ−Ｘに沿う平面（縦断面）におけるボトル１の断面形状を意味する。
【００１５】
図１及び図２に示されるように、本実施形態に係るボトル１は、上方から順に、キャップが着脱自在な口部２と、口部２に連設される肩部３と、肩部３に連設される胴部４と、胴部４に連設され最下部に位置する底部５とを備える。また本実施形態に係るボトル１は、横断面が略円形の円筒状の容器である。
【００１６】
ボトル１は、例えば、ポリエチレン、ポリプロピレン、ポリエチレンテレフタレートなどの熱可塑性樹脂を主材料として、二軸延伸ブロー成形法などの公知の成形法によって製造することができる。
【００１７】
ボトル１に充填される液体としては、特に限定されるものではなく、例えば、飲料水、茶、果汁、コーヒー、ココア、清涼飲料水、アルコール飲料、乳飲料、スープなどの飲料や、ソースや醤油などの液体調味料といったものが挙げられる。またボトル１の内容量についても特に限定されるものではなく、充填する液体の種類等に応じて、数百ミリリットル単位の比較的小容量のものから、数リットル単位の比較的大容量のものに至るまで任意に適用して良い。尚、ボトル１を飲料用ボトルとして適用する場合は、内容量を３５０ｍＬ〜７００ｍＬとすることが望ましい。
【００１８】
（口部）
口部２は、上端が開口する円筒で構成される部分であり、飲料等の注ぎ口として機能する。口部２の外周面には雄ネジ部が形成されており、図示しないキャップが着脱自在に螺合固定される。
【００１９】
（肩部）
肩部３は、その上端から下方に向けて連続して拡径してなる、略円錐状に構成される部分である。尚、本実施形態における肩部３の側面には、多面壁が区画形成されている。
【００２０】
（胴部）
胴部４は、上側にラベル部６を備え、下側に把持部７を備える。また本実施形態における胴部４には、強度を補強するために３つの周溝８が設けられている。
【００２１】
ラベル部６の外周面には飲料の銘柄等を表示するラベルを設けることができる。ラベルとしては、例えば、印刷適性を有する熱収縮性のフィルム材（シュリンクフィルム）や、ロールラベル等を使用することができる。所望の印刷が施された熱収縮性のフィルム材を筒状にしてボトル１に被せ、これを加熱してボトル１の側面に密着するように収縮させることによって装着する。
【００２２】
ラベル部６には、複数の減圧吸収部９が、周方向に所定の間隔で陥没形成されている。減圧吸収部９は、その内側面１０によって囲まれている部分に、容器外側に凸となる膨らみ領域１１を備える。膨らみ領域１１の高さ方向の長さは、２０ｍｍ〜４０ｍｍ、好ましくは２０ｍｍ〜３０ｍｍであることが望ましい。本実施形態における膨らみ領域１１は略正方形状であり、その高さ方向の長さは、約２３ｍｍである。
【００２３】
図３に示されるように、膨らみ領域１１の横断面形状は、容器外側に凸となるように円弧状に湾曲している。減圧吸収部９による減圧吸収が生じる前の通常状態のボトル１における膨らみ領域１１の横断面形状の曲率半径は、４０ｍｍ（４０Ｒ）〜１６０ｍｍ（１６０Ｒ）であることが望ましい。また、通常状態のボトル１における膨らみ領域１１の膨らみ量Ｂ１は、１ｍｍ以下であることが望ましく、より望ましくは約０．５ｍｍである。
【００２４】
図１及び図２に示されるように、把持部７は、上下方向両端から中央にかけて連続して縮径するくびれ形状をなし、側面に多面壁が区画形成されている
【００２５】
（底部）
図１及び図２に示すように、底部５は、ボトル１を立てたときに設置面と接する底面１３と、底面１３の内縁から中心軸Ｘ−Ｘに向かってなだらかに盛りあがる隆起部１４と、隆起部１４の中心部に形成される上方に突出する円形の窪み１５と、窪み１５から周壁１２にわたる縦溝部１６と、底面１３の周縁から上方に拡開するように立ち上がる周壁１２とを備えて構成されている。
【００２６】
縦溝部１６は、底壁１３の窪み１５から放射状に周方向に等間隔で複数設けられている。縦溝部１６は、底部５の強度を補強する補強リブとして機能する。
【００２７】
〔その他の実施形態〕
上述の実施形態における減圧吸収部９の膨らみ領域１１の形状については、例えば図４に示されるように、より大きい面積を備える縦長の略長方形状としても良い。この実施形態における膨らみ領域１１の高さ方向の長さは、約２８ｍｍである。
【産業上の利用可能性】
【００２８】
本発明の樹脂製容器は、飲料類や調味料などを密封充填する容器として好適に用いることができる。
【符号の説明】
【００２９】
１  ボトル
２  口部
３  肩部
４  胴部
５  底部
６  ラベル部
７  把持部
８  周溝
９  減圧吸収部
１０  内側面
１１  膨らみ領域
１２  周壁
１３  底面
１４  隆起部
１５  窪み
１６  縦溝部
【図１】
2018162095.tif 000003
【図２】
2018162095.tif 000004
【図３】
2018162095.tif 000005
【図４】
2018162095.tif 000006